(57)【特許請求の範囲】
【請求項１】
発光素子を有する発光モジュールと；
円板状を呈する基部と、前記基部の、車両用照明装置の前面側にある面から突出し、前記発光モジュールが設けられる凸部と、前記基部の前記発光モジュールが設けられる側とは反対側の面に設けられた凹部と、を有するフランジ部と；
前記基部の前記発光モジュールが設けられる側とは反対側の面から突出し、板状を呈する第１の凸部と；
前記凹部の内部に設けられ、前記基部の前記発光モジュールが設けられる側とは反対側の面から突出し、前記第１の凸部と接合された第２の凸部と；
を具備し、
前記第２の凸部の頂面は、前記第１の凸部の頂面よりも前記基部側に位置し、
前記フランジ部、前記第１の凸部、および前記第２の凸部は、熱伝導性樹脂を含むとともに一体に設けられている車両用照明装置。
【請求項２】
前記第２の凸部は、前記第１の凸部と交差する第１の面と、前記第１の面と対峙する第２の面と、を有し、
前記第１の面および前記第２の面の少なくともいずれかは、前記第２の凸部の頂面に向かうに従い、前記第１の面と前記第２の面との間の距離が漸次短くなるように傾斜している請求項１記載の車両用照明装置。
【請求項３】
前記基部の前記発光モジュールが設けられる側とは反対側の面から突出し、前記第１の凸部と接合された第３の凸部をさらに具備し、
前記第３の凸部の頂面は、前記第１の凸部の頂面よりも前記基部側に位置する請求項１または２に記載の車両用照明装置。
【請求項４】
前記第３の凸部は、前記第１の凸部と交差する第３の面と、前記第３の面と対峙する第４の面と、を有し、
前記第３の面および前記第４の面の少なくともいずれかは、前記第３の凸部の頂面に向かうに従い、前記第３の面と前記第４の面との間の距離が漸次短くなるように傾斜している請求項３記載の車両用照明装置。
【請求項５】
請求項１〜４のいずれか１つに記載の車両用照明装置を具備した車両用灯具。
【発明の詳細な説明】
【技術分野】
【０００１】
本発明の実施形態は、車両用照明装置および車両用灯具に関する。
【背景技術】
【０００２】
複数の発光ダイオード（Light Emitting Diode：ＬＥＤ）を有する発光モジュールと、発光モジュールを収納するソケットを備えた照明装置がある。  
発光ダイオードにおいて発生した熱は、主に、ソケットを介して外部に放出される。そのため、ソケットは、熱伝導率の高い材料から形成されている。  
熱伝導率の高い材料としてはアルミニウムなどの金属があるが、軽量化の観点からソケットの材料として、カーボンなどからなるフィラーを含ませた熱伝導性樹脂が用いられるようになってきている。  
ここで、フィラーの含有量を多くすれば熱伝導率を高くすることができる。ところが、フィラーの含有量を多くすれば脆くなり、外力に対する耐性（機械的な強度）が低下するという問題がある。  
また、発光モジュールはソケットに収納されるため、発光ダイオードから出射した光がソケットにより遮られやすくなる。  
この場合、発光モジュールの取り付け位置をソケットの前面側に寄せると、発光ダイオードから出射した光がソケットにより遮られるのを抑制することができる。  
ところが、発光モジュールの取り付け位置をソケットの前面側に寄せるとソケットの厚みが厚くなり、重量の増大や材料費の増加などを招くことになる。  
この場合、ソケットの背面側に凹部を設けるようにすれば、重量の増大や材料費の増加などを抑制することができる。  
ところが、凹部の内部では空気の流れが生じにくくなるので、凹部の内部に熱が滞留して放熱性が悪化するおそれがある。  
そのため、放熱性と外力に対する耐性を向上させることができる技術の開発が望まれていた。
【先行技術文献】
【特許文献】
【０００３】
【特許文献１】特開２０１３−２４７０６１号公報
【発明の概要】
【発明が解決しようとする課題】
【０００４】
本発明が解決しようとする課題は、放熱性と外力に対する耐性を向上させることができる車両用照明装置および車両用灯具を提供することである。
【課題を解決するための手段】
【０００５】
実施形態に係る車両用照明装置は、発光素子を有する発光モジュールと；円板状を呈する基部と、前記基部の、車両用照明装置の前面側にある面から突出し、前記発光モジュールが設けられる凸部と、前記基部の前記発光モジュールが設けられる側とは反対側の面に設けられた凹部と、を有するフランジ部と；前記基部の前記発光モジュールが設けられる側とは反対側の面から突出し、板状を呈する第１の凸部と；前記凹部の内部に設けられ、前記基部の前記発光モジュールが設けられる側とは反対側の面から突出し、前記第１の凸部と接合された第２の凸部と；を具備している。
前記第２の凸部の頂面は、前記第１の凸部の頂面よりも前記基部側に位置し、
前記フランジ部、前記第１の凸部、および前記第２の凸部は、熱伝導性樹脂を含むとともに一体に設けられている。
【発明の効果】
【０００６】
本発明の実施形態によれば、放熱性と外力に対する耐性を向上させることができる車両用照明装置および車両用灯具を提供することができる。
【図面の簡単な説明】
【０００７】
【図１】本実施の形態に係る照明装置１を例示するための模式斜視図である。
【図２】照明装置１の模式斜視分解図である。
【図３】発光モジュール２０の模式平面図である。
【図４】凸部１４および凸部１５を例示するための模式斜視図である。
【図５】図４におけるＡ−Ａ線断面図である。
【図６】（ａ）〜（ｃ）は、凸部１４の断面形状を例示するための模式断面図である。
【発明を実施するための形態】
【０００８】
実施形態に係る発明は、発光素子を有する発光モジュールと；円板状を呈する基部と、前記基部の、車両用照明装置の前面側にある面から突出し、前記発光モジュールが設けられる凸部と、前記基部の前記発光モジュールが設けられる側とは反対側の面に設けられた凹部と、を有するフランジ部と；前記基部の前記発光モジュールが設けられる側とは反対側の面から突出し、板状を呈する第１の凸部と；前記凹部の内部に設けられ、前記基部の前記発光モジュールが設けられる側とは反対側の面から突出し、前記第１の凸部と接合された第２の凸部と；を具備した車両用照明装置である。
前記第２の凸部の頂面は、前記第１の凸部の頂面よりも前記基部側に位置する。
前記フランジ部、前記第１の凸部、および前記第２の凸部は、熱伝導性樹脂を含むとともに一体に設けられている。
この車両用照明装置によれば、放熱性と外力に対する耐性を向上させることができる。
【０００９】
また、前記第２の凸部は、前記第１の凸部と交差する第１の面と、前記第１の面と対峙する第２の面と、を有するものとすることができる。  
前記第１の面および前記第２の面の少なくともいずれかは、前記第２の凸部の頂面に向かうに従い、前記第１の面と前記第２の面との間の距離が漸次短くなるように傾斜しているようにすることができる。  
この様にすれば、空気の流れが円滑になるので、放熱性をより向上させることができる。
【００１０】
また、前記基部の前記発光モジュールが設けられる側とは反対側の面から突出し、前記第１の凸部と接合された第３の凸部をさらに具備することができる。  
前記第３の凸部の頂面は、前記第１の凸部の頂面よりも前記基部側に位置するようにすることができる。  
この様にすれば、放熱性と外力に対する耐性をさらに向上させることができる。
【００１１】
また、前記第３の凸部は、前記第１の凸部と交差する第３の面と、前記第３の面と対峙する第４の面と、を有するものとすることができる。  
前記第３の面および前記第４の面の少なくともいずれかは、前記第３の凸部の頂面に向かうに従い、前記第３の面と前記第４の面との間の距離が漸次短くなるように傾斜しているようにすることができる。  
この様にすれば、空気の流れが円滑になるので、放熱性をより向上させることができる。
【００１３】
以下、図面を参照しつつ、実施の形態について例示をする。なお、各図面中、同様の構成要素には同一の符号を付して詳細な説明は適宜省略する。  
図１は、本実施の形態に係る照明装置１を例示するための模式斜視図である。  
図２は、照明装置１の模式斜視分解図である。  
図３は、発光モジュール２０の模式平面図である。  
図１および図２に示すように、照明装置１には、ソケット１０、発光モジュール２０、給電部３０、およびコネクタ４０が設けられている。
【００１４】
ソケット１０には、収納部１１、フランジ部１２、フィン１３（第１の凸部の一例に相当する）、凸部１４（第３の凸部の一例に相当する）、凸部１５（第２の凸部の一例に相当する）、および取り付け部１６が設けられている。  
収納部１１は、円筒状を呈し、フランジ部１２の凸部１２ｂから突出している。収納部１１の内側であって、フランジ部１２の凸部１２ｂの上には、発光モジュール２０が設けられている。また、収納部１１の内側には、給電部３０の給電端子３１が突出している。
【００１５】
フランジ部１２は、基部１２ａ、凸部１２ｂ、および凹部１２ｃを有する。  
基部１２ａは、円板状を呈している。  
凸部１２ｂは、照明装置１の前面側にある基部１２ａの面１２ａ１に設けられている。  すなわち、凸部１２ｂは、基部１２ａの一方の面から突出している。凸部１２ｂの上には発光素子２２を有する発光モジュール２０が設けられる。  
凹部１２ｃは、照明装置１の背面側にある基部１２ａの面１２ａ２に設けられている（図５を参照）。  
すなわち、凹部１２ｃは、発光モジュール２０が設けられる側とは反対側の基部１２ａの面１２ａ２に設けられている。  
また、照明装置１の背面側にある基部１２ａの面１２ａ２には、フィン１３、および凸部１４が設けられている。  
フィン１３は、照明装置１の背面側にある基部１２ａの面１２ａ２から突出している。フィン１３は、複数設けられている。複数のフィン１３は、板状を呈し、放熱フィンとして機能する。  
凸部１４は、照明装置１の背面側にある基部１２ａの面１２ａ２から突出し、フィン１３と接合されている。  
凸部１５は、凹部１２ｃの内部に設けられ、その先端は、照明装置１の背面側にある基部１２ａの面１２ａ２から突出している。  
すなわち、凸部１５は、凹部１２ｃの内部に設けられ、基部１２ａの発光モジュール２０が設けられる側とは反対側の面から突出している。  
凸部１５は、フィン１３と接合されている。  
なお、凸部１２ｂ、凹部１２ｃ、凸部１４、および凸部１５に関する詳細は後述する。
【００１６】
収納部１１、フランジ部１２、フィン１３、凸部１４、および凸部１５は、一体に成形することもできるし、接着剤などを用いて接合することもできる。  
ただし、収納部１１、フランジ部１２、フィン１３、凸部１４、および凸部１５を一体に成形すれば、放熱性の向上、外力に対する耐性の向上、製造コストの低減などを図ることができる。
【００１７】
取り付け部１６は、収納部１１の側壁に設けられ、照明装置１の外側に向けて突出している。  
取り付け部１６は、複数設けられている。  
取り付け部１６は、照明装置１を車両用灯具に装着する際に、車両用灯具に設けられた溝部に挿入される。そして、照明装置１を回転させることで、車両用灯具に照明装置１が保持されるようになっている。  
すなわち、取り付け部１６は、ツイストロックに用いられるものである。
【００１８】
図３に示すように、発光モジュール２０には、発光モジュール用基板２、発光素子２２、制御素子２３、配線２５、包囲壁部材２６、封止部２７、接合部２８、制御素子２９、被覆部５１、金属膜３４および制御素子５２が設けられている。  
また、発光モジュール用基板２には、基体２１および配線パターン２４が設けられている。
【００１９】
基体２１は、ソケット１０の収納部１１の内側であって、フランジ部１２の凸部１２ｂの上に設けられている。  
基体２１は、板状を呈し、表面に配線パターン２４が設けられている。  
基体２１は、例えば、酸化アルミニウムや窒化アルミニウムなどのセラミックスから形成されている。  
また、基体２１は、単層であってもよいし、多層であってもよい。
【００２０】
配線パターン２４は、基体２１の少なくとも一方の表面に設けられている。  
配線パターン２４は、基体２１の両方の面に設けることもできるが、製造コストを低減させるためには、基体２１の一方の面に設けるようにすることが好ましい。  
配線パターン２４には、入力端子２４ａが設けられている。  
入力端子２４ａは、複数設けられている。入力端子２４ａには、給電部３０の給電端子３１が電気的に接続されている。そのため、発光素子２２は、配線パターン２４を介して、給電部３０と電気的に接続されている。  
配線パターン２４は、例えば、銀を主成分とする材料から形成されている。配線パターン２４は、例えば、銀や銀合金から形成されている。ただし、配線パターン２４は、銀を主成分とする材料に限定されるわけではなく、例えば、銅を主成分とする材料などであっても良い。  
配線パターン２４は、例えば、スクリーン印刷法を用いて形成することができる。
【００２１】
発光素子２２は、基体２１の表面に設けられた配線パターン２４の上に複数設けられている。  
発光素子２２は、配線パターン２４に設けられる側とは反対側の面（上面）に図示しない電極を有したものとすることができる。なお、図示しない電極は、配線パターン２４に設けられる側の面（下面）と、配線パターン２４に設けられる側とは反対側の面（上面）とに設けられていてもよいし、どちらかの面のみに設けられていてもよい。
【００２２】
発光素子２２の下面に設けられた図示しない電極は、銀ペーストなどの導電性の熱硬化材を介して配線パターン２４に設けられた実装パッド２４ｂと電気的に接続されている。発光素子２２の上面に設けられた図示しない電極は、配線２５を介して配線パターン２４に設けられた配線パッド２４ｃと電気的に接続されている。
【００２３】
発光素子２２は、例えば、発光ダイオード、有機発光ダイオード、レーザダイオードなどとすることができる。  
発光素子２２の光の出射面である上面は、照明装置１の正面側に向けられており、主に、照明装置１の正面側に向けて光を出射する。  
発光素子２２の数、大きさ、配置などは、例示をしたものに限定されるわけではなく、照明装置１の大きさや用途などに応じて適宜変更することができる。
【００２４】
制御素子２３は、配線パターン２４の上に設けられている。  
制御素子２３は、発光素子２２に流れる電流を制御する。  
発光素子２２の順方向電圧特性には、ばらつきがあるので、アノード端子と、グランド端子と、の間の印加電圧を一定にすると、発光素子２２の明るさ（光束、輝度、光度、照度）にばらつきが生じる。そのため、発光素子２２の明るさが所定の範囲内に収まるように、制御素子２３により、発光素子２２に流れる電流の値が所定の範囲内となるようにしている。  
制御素子２３は、例えば、抵抗器とすることができる。制御素子２３は、例えば、表面実装型の抵抗器、リード線を有する抵抗器（酸化金属皮膜抵抗器）、スクリーン印刷法などを用いて形成された膜状の抵抗器などとすることができる。  
なお、図３に例示をした制御素子２３は、膜状の抵抗器である。
【００２５】
この場合、制御素子２３の抵抗値を変化させることで、発光素子２２に流れる電流の値が所定の範囲内となるようにすることができる。  
例えば、複数の制御素子２３が膜状の抵抗器の場合には、複数の制御素子２３毎に一部を除去して図示しない除去部をそれぞれに形成する。そして、除去部の大きさなどにより、複数の制御素子２３毎に抵抗値を変化させる。この場合、制御素子２３の一部を除去すれば、抵抗値は増加することになる。制御素子２３の一部の除去は、例えば、制御素子２３にレーザ光を照射することで行うことができる。  
制御素子２３の数、大きさ、配置などは、例示をしたものに限定されるわけではなく、発光素子２２の数や仕様などに応じて適宜変更することができる。
【００２６】
配線２５は、発光素子２２の上面に設けられた図示しない電極と、配線パターン２４に設けられた配線パッド２４ｃとを電気的に接続する。  
配線２５は、例えば、金を主成分とする線とすることができる。ただし、配線２５の材料は、金を主成分とするものに限定されるわけではなく、例えば、銅を主成分とするものや、アルミニウムを主成分とするものなどであってもよい。
【００２７】
配線２５は、例えば、超音波溶着または熱溶着により、発光素子２２の上面に設けられた図示しない電極と、配線パターン２４に設けられた配線パッド２４ｃとに電気的に接続される。配線２５は、例えば、ワイヤボンディング法を用いて、発光素子２２の上面に設けられた図示しない電極と、配線パターン２４に設けられた配線パッド２４ｃとに電気的に接続することができる。
【００２８】
包囲壁部材２６は、複数の発光素子２２を囲むようにして、基体２１上に設けられている。包囲壁部材２６は、例えば、環状形状を有し、中央部２６ａに複数の発光素子２２が配置されるようになっている。  
包囲壁部材２６は、例えば、ＰＢＴ（polybutylene terephthalate）やＰＣ（polycarbonate）などの樹脂や、セラミックスなどから形成することができる。
【００２９】
また、包囲壁部材２６の材料を樹脂とする場合には、酸化チタンなどの粒子を混合して、発光素子２２から出射した光に対する反射率を向上させるようにすることができる。  
なお、酸化チタンの粒子に限定されるわけではなく、発光素子２２から出射した光に対する反射率が高い材料からなる粒子を混合させるようにすればよい。  
また、包囲壁部材２６は、例えば、白色の樹脂から形成することもできる。
【００３０】
包囲壁部材２６の中央部２６ａ側の側壁面２６ｂは傾斜面となっている。発光素子２２から出射した光の一部は、包囲壁部材２６の側壁面２６ｂで反射されて、照明装置１の正面側に向けて出射される。  
また、発光素子２２から照明装置１の正面側に向けて出射された光の一部であって封止部２７の上面（封止部２７と外気との界面）で全反射した光は、包囲壁部材２６の中央部２６ａ側の側壁面２６ｂで反射して、再び照明装置１の正面側に向けて出射される。
【００３１】
すなわち、包囲壁部材２６は、リフレクタの機能を併せ持つものとすることができる。なお、包囲壁部材２６の形態は、例示をしたものに限定されるわけではなく適宜変更することができる。
【００３２】
封止部２７は、包囲壁部材２６の中央部２６ａに設けられている。封止部２７は、包囲壁部材２６の内側を覆うように設けられている。すなわち、封止部２７は、包囲壁部材２６の内側に設けられ、発光素子２２と配線２５とを覆っている。  
封止部２７は、透光性を有する材料から形成されている。封止部２７は、例えば、シリコーン樹脂などから形成することができる。  
封止部２７は、例えば、包囲壁部材２６の中央部２６ａに樹脂を充填することで形成することができる。樹脂の充填は、例えば、ディスペンサなどの液体定量吐出装置を用いて行うことができる。
【００３３】
包囲壁部材２６の中央部２６ａに樹脂を充填すれば、発光素子２２、包囲壁部材２６の中央部２６ａに配置された配線パターン２４、および配線２５などに対する外部からの機械的な接触を抑制することができる。また、水分やガスなどが、発光素子２２、包囲壁部材２６の中央部２６ａに配置された配線パターン２４、および配線２５などに付着することを抑制することができる。そのため、照明装置１に対する信頼性を向上させることができる。
【００３４】
また、封止部２７には、蛍光体を含めることができる。蛍光体は、例えば、ＹＡＧ系蛍光体（イットリウム・アルミニウム・ガーネット系蛍光体）とすることができる。  
例えば、発光素子２２が青色発光ダイオード、蛍光体がＹＡＧ系蛍光体である場合には、発光素子２２から出射した青色の光によりＹＡＧ系蛍光体が励起され、ＹＡＧ系蛍光体から黄色の蛍光が放射される。そして、青色の光と黄色の光が混ざり合うことで、白色の光が照明装置１から出射される。なお、蛍光体の種類や発光素子２２の種類は例示をしたものに限定されるわけではなく、照明装置１の用途などに応じて所望の発光色が得られるように適宜変更することができる。
【００３５】
接合部２８は、包囲壁部材２６と、基体２１とを接合する。  
接合部２８は、膜状を呈し、包囲壁部材２６と、基体２１と、の間に設けられている。  接合部２８は、例えば、シリコーン系接着剤やエポキシ系接着剤を硬化させることで形成されたものとすることができる。
【００３６】
制御素子２９は、配線パターン２４の上に、半田部３３を介して設けられている。すなわち、制御素子２９は、配線パターン２４の上に半田付けされている。  
制御素子２９は、逆方向電圧が発光素子２２に印加されないようにするため、および、逆方向からのパルスノイズが発光素子２２に印加されないようにするために設けられている。  
制御素子２９は、例えば、ダイオードとすることができる。制御素子２９は、例えば、表面実装型のダイオードや、リード線を有するダイオードなどとすることができる。  
図３に例示をした制御素子２９は、表面実装型のダイオードである。
【００３７】
制御素子５２は、配線パターン２４の上に設けられている。  
制御素子５２は、発光ダイオードの断線の検出や、誤点灯防止などのために設けられている。制御素子５２は、プルダウン抵抗である。  
制御素子５２は、スクリーン印刷法などを用いて形成された膜状の抵抗器とすることができる。  
制御素子５２は、例えば、酸化ルテニウムを用いて形成された膜状の抵抗器とすることができる。
【００３８】
被覆部５１は、配線パターン２４の一部、膜状の抵抗器である制御素子２３、および膜状の抵抗器である制御素子５２を覆うように設けられている。  
なお、制御素子２９および発光素子２２が設けられる領域、配線２５が接続される領域、および給電端子３１が接続される領域には被覆部５１が設けられていない。  
例えば、被覆部５１は、制御素子２９が半田付けされる領域３５は覆っていない。  
被覆部５１は、水分やガスなどが配線パターン２４、制御素子２３、および制御素子５２に接触するのを抑制するため、および、電気絶縁性を確保するために設けられている。  被覆部５１は、ガラス材料を含むものとすることができる。
【００３９】
前述したように、配線パターン２４は、例えば、銀を主成分とする材料から形成されている。そのため、高湿条件下における通電によりマイグレーションが発生する場合がある。例えば、対峙する半田部３３同士の間などにおいて短絡が発生する場合がある。  
そのため、マイグレーションの抑制や、半田の濡れ性の向上のために、配線パターン２４を覆う金属膜３４が設けられている。
また、配線パターン２４が、例えば、銅を主成分とする材料から形成される場合は、高温条件下や硫黄成分が多い雰囲気下で使用されると、酸化や硫黄との反応が早くなり、半田の濡れ性が低下する場合がある。そのため、配線パターン２４を覆う金属膜３４が設けられている。
【００４０】
金属膜３４は、半田付けされる領域３５に設けられ、配線パターン２４を覆っている。  金属膜３４は、例えば、ニッケルからなる膜と金からなる膜とを少なくとも有する積層膜とすることができる。金属膜３４は、例えば、ニッケルからなる膜と金からなる膜がこの順で積層された積層膜、ニッケルからなる膜とパラジウムからなる膜と金からなる膜がこの順で積層された積層膜などとすることができる。  
金属膜３４は、例えば、無電解めっき法を用いて、半田付けがされる領域３５に形成されている。
【００４１】
給電部３０には、複数の給電端子３１が設けられている。  
複数の給電端子３１は、収納部１１およびフランジ部１２の内部を伸びている。複数の給電端子３１の一方の端部は、フランジ部１２の凸部１２ｂから突出し、配線パターン２４の入力端子２４ａと電気的に接続されている。複数の給電端子３１の他方の端部は、照明装置１の背面側において、ソケット１０から露出している。
【００４２】
なお、給電端子３１の数、配置、形態などは例示をしたものに限定されるわけではなく、適宜変更することができる。  
また、給電部３０は、図示しない基板や、コンデンサや抵抗などの回路部品を備えたものとすることもできる。なお、図示しない基板や回路部品は、例えば、収納部１１の内側や、フランジ部１２の内部などに設けることができる。
【００４３】
コネクタ４０は、ソケット１０から露出している複数の給電端子３１の端部に嵌め合わされる。  
コネクタ４０には、図示しない電源などが電気的に接続されている。  
そのため、コネクタ４０を給電端子３１の端部に嵌め合わせることで、図示しない電源などと、発光素子２２とが電気的に接続される。  
コネクタ４０は、例えば、接着剤などを用いてソケット１０側の要素に接合することができる。
【００４４】
次に、フランジ部１２の凸部１２ｂと凹部１２ｃ、凸部１４、および凸部１５についてさらに説明する。  
前述したように、ソケット１０は、発光モジュール２０および給電部３０などを収納する機能と、発光モジュール２０や給電部３０で発生した熱を照明装置１の外部に放出する機能とを有する。  
そのため、熱を外部に放出することを考慮して、ソケット１０は熱伝導率の高い材料から形成されている。
【００４５】
熱伝導率の高い材料としてはアルミニウムなどの金属があるが、金属を用いてソケット１０を形成すると、重量の増加や製造コストの増加を招くことになる。  
また、一般的な樹脂材料を用いてソケット１０を形成すると、軽量化を図ることができるが、放熱性が悪くなる。
【００４６】
そのため、ソケット１０の材料は、いわゆる熱伝導性樹脂としている。  
熱伝導性樹脂は、例えば、カーボンなどからなるフィラーを含ませることで熱伝導率を高めた樹脂とすることができる。  
この場合、フィン１３などの熱を外部に放出する部分を熱伝導性樹脂から形成し、その他の部分を樹脂などから形成することもできる。  
また、熱伝導性樹脂が導電性を有するものの場合には、給電端子３１と、熱伝導性樹脂からなる要素との間の電気絶縁性を確保するために、給電端子３１の周囲を絶縁材料からなる絶縁部で覆い、更に、絶縁部の周囲に熱伝導性樹脂からなる要素が設けられるようにすることができる。
【００４７】
ここで、フィラーの含有量を多くすれば熱伝導率を高くすることができる。ところが、フィラーの含有量を多くすれば脆くなり、外力に対する耐性（機械的な強度）が低下する。
フィン１３は、フィン１３同士の間を空気が流れやすくなるように、板状とされている。そして、フィン１３とフランジ部１２などとを一体に成形する場合には、成形時のヒケ（凹み、変形）を抑制するために、フィン１３の厚みをある程度薄くする必要がある。そのため、熱伝導性樹脂を用いてフィン１３を成形した場合には、フィン１３の外力に対する耐性が低くなり、フィン１３とフランジ部１２との接合部分（フィン１３の根元）などに割れなどが発生しやすくなる。  
そこで、本実施の形態においては、フィン１３およびフランジ部１２と接合される凸部１４を設けるようにしている。
【００４８】
また、前述したように、発光モジュール２０は、収納部１１の内側に設けられる。  
そのため、発光素子２２から出射した光が、収納部１１や収納部１１の側壁に設けられた取り付け部１６により遮られやすくなる。  
この場合、発光モジュール２０の取り付け位置を照明装置１の前面側に寄せると、発光素子２２から出射した光が、収納部１１や取り付け部１６により遮られるのを抑制することができる。  
そのため、基部１２ａから照明装置１の前面側に向けて突出する凸部１２ｂを設け、凸部１２ｂに発光モジュール２０を設けるようにしている。すなわち、凸部１２ｂを設けて、発光モジュール２０の取り付け位置を照明装置１の前面側に寄せるようにしている。
【００４９】
ところが、凸部１２ｂを設けるようにすると、凸部１２ｂの分だけフランジ部１２の厚みが厚くなり、重量の増加や材料費の増大などを招くことになる。  
そのため、照明装置１の背面側にある基部１２ａの面１２ａ２に凹部１２ｃを設けて、重量や材料費の抑制を図るようにしている。
【００５０】
しかしながら、凹部１２ｃの内部では、空気の流れが生じにくくなるので、凹部１２ｃの内部に熱が滞留して放熱性が悪化するおそれがある。  
そこで、本実施の形態においては、凹部１２ｃの内部に、フィン１３と接合される凸部１５を設けるようにしている。
【００５１】
図４は、凸部１４および凸部１５を例示するための模式斜視図である。  
なお、図４は、照明装置１を背面側（発光モジュール２０が設けられる側とは反対の側）から見た図である。  
図５は、図４におけるＡ−Ａ線断面図である。  
図６（ａ）〜（ｃ）は、凸部１４の断面形状を例示するための模式断面図である。
【００５２】
図４および図５に示すように、凸部１４は、照明装置１の背面側にある基部１２ａの面１２ａ２から突出し、フィン１３と接合されている。  
この場合、凸部１４は、一のフィン１３と、一のフィン１３に隣接する他のフィン１３との間に設けられるようにすることができる。  
そして、凸部１４は、一のフィン１３および他のフィン１３の少なくともいずれかと接合されているようにすることができる。  
すなわち、フィン１３の根元側には凸部１４が接合されている。  
そのため、フィン１３の外力に対する耐性を向上させることができる。  
この場合、フィン１３が伸びる方向と、凸部１４が伸びる方向を交差させることもできる。この様にすれば、フィン１３の外力に対する耐性をさらに向上させることができる。
【００５３】
また、凸部１４は、熱源である発光モジュール２０が設けられるフランジ部１２と接合されている。  
そのため、凸部１４は、放熱フィンとしても機能する。  
凸部１４を設けるようにすれば、放熱性を向上させることができる。
【００５４】
ここで、フィン１３の近傍には自然対流などにより空気の流れが形成される。そのため、凸部１４により空気の流れが妨げられると、放熱性の向上が図れなくなるおそれがある。
この場合、フィン１３とフィン１３の間に凸部１４を設けると、フィン１３同士の間における空気の流れが妨げられやすくなる。
【００５５】
そこで、凸部１４の頂面１４ａの位置は、フィン１３の頂面１３ａの位置よりもフランジ部１２側にあるようになっている。すなわち、凸部１４の高さは、フィン１３の高さよりも低くなっている。  
この様にすれば、凸部１４を設けるようにしても、フィン１３の近傍における空気の流れが妨げられるのを抑制することができる。  
その結果、放熱性の向上を図ることができる。
【００５６】
また、図５に示すように、凸部１４は、フィン１３と交差する面１４ｂ１（第３の面の一例に相当する）と、面１４ｂ１と対峙する面１４ｂ２（第４の面の一例に相当する）とを有している。  
面１４ｂ１および面１４ｂ２の少なくともいずれかは、凸部１４の頂面１４ａに向かうに従い、面１４ｂ１と面１４ｂ２との間の距離が漸次短くなるように傾斜している。  
すなわち、面１４ｂ１および面１４ｂ２の少なくともいずれかは、傾斜面となっている。
【００５７】
この場合、図６（ａ）に示すように、面１４ｂ１および面１４ｂ２の両方を傾斜面とすることができる。  
面１４ｂ１および面１４ｂ２の両方を傾斜面とする場合には、傾斜方向が互いに逆向きとなるようにする。  
また、図６（ｂ）、（ｃ）に示すように、面１４ｂ１または面１４ｂ２を傾斜面とすることもできる。
【００５８】
また、凸部１４が複数設けられる場合には、複数の凸部１４のそれぞれの面１４ｂ１は、同じ方向に傾斜しているようにすることができる。複数の凸部１４のそれぞれの面１４ｂ２は、同じ方向に傾斜しているようにすることができる。
【００５９】
傾斜面を設けるようにすれば、空気の流れに乱流が発生するのを抑制することができる。
そのため、空気の流れを円滑にすることができるので、放熱性を向上させることができる。
【００６０】
この場合、図６（ｂ）、（ｃ）に示すように、空気の流れ方向１００における上流側の面が傾斜面となるようにすることができる。  
なお、空気の流れ方向１００は、照明装置１の取り付け形態や、照明装置１が取り付けられる環境などの影響を受ける。  
そのため、図６（ａ）に示すように、互いに対峙する２つの面（面１４ｂ１および面１４ｂ２）を傾斜面とし、傾斜方向が互いに逆向きとなるようにすれば、予め空気の流れ方向１００が分からなかったり、空気の流れ方向１００が変化したりする場合であっても対応が可能となる。
【００６１】
また、図４および図５に示すように、凸部１５は、凹部１２ｃの内部に設けられている。
また、凸部１５の先端は、照明装置１の背面側にある基部１２ａの面１２ａ２から突出している。凸部１５は、フィン１３と接合されている。  
この場合、凸部１５は、一のフィン１３と、一のフィン１３に隣接する他のフィン１３との間に設けられるようにすることができる。  
そして、凸部１５は、一のフィン１３および他のフィン１３の少なくともいずれかと接合されているようにすることができる。  
すなわち、フィン１３の根元側には凸部１５が接合されている。  
そのため、フィン１３の外力に対する耐性を向上させることができる。  
この場合、フィン１３が伸びる方向と、凸部１５が伸びる方向を交差させることもできる。この様にすれば、フィン１３の外力に対する耐性をさらに向上させることができる。
【００６２】
前述したように、凹部１２ｃの内部では、空気の流れが生じにくくなるので、凹部１２ｃの内部に熱が滞留しやすくなる。  
この場合、凹部１２ｃの内部に凸部１５を設け、凸部１５をフィン１３と接合すれば、凹部１２ｃの内部の熱をフィン１３に逃がすことができる。  
この様に、凸部１５は、熱伝達部および放熱フィンとしても機能する。    
そのため、凸部１５を設けるようにすれば、凹部１２ｃの内部の熱を逃がすことができるので、放熱性を向上させることができる。
【００６３】
また、前述した凸部１４と同様に、凸部１５の頂面１５ａの位置は、フィン１３の頂面１３ａの位置よりもフランジ部１２側にあるようになっている。  
この様にすれば、凸部１５を設けるようにしても、フィン１３の近傍における空気の流れが妨げられるのを抑制することができる。  
この場合、凸部１５の突出方向（高さ方向）における凸部１５の頂面１５ａの位置は、凸部１４の頂面１４ａの位置と同じとなるようにすることができる。  
この様にすれば、空気の流れに乱流が発生するのを抑制することができる。  
そのため、空気の流れを円滑にすることができるので、放熱性をさらに向上させることができる。
【００６４】
また、図５に示すように、凸部１５は、フィン１３と交差する面１５ｂ１（第１の面の一例に相当する）と、面１５ｂ１と対峙する面１５ｂ２（第２の面の一例に相当する）とを有している。  
面１５ｂ１および面１５ｂ２の少なくともいずれかは、凸部１５の頂面１５ａに向かうに従い、面１５ｂ１と面１５ｂ２との間の距離が漸次短くなるように傾斜している。  
すなわち、面１５ｂ１および面１５ｂ２の少なくともいずれかは、傾斜面となっている。
【００６５】
また、図６（ａ）において例示をした凸部１４と同様に、面１５ｂ１および面１５ｂ２の両方を傾斜面とすることができる。  
面１５ｂ１および面１５ｂ２の両方を傾斜面とする場合には、傾斜方向が互いに逆向きとなるようにする。  
また、図６（ｂ）、（ｃ）において例示をした凸部１４と同様に、面１５ｂ１または面１５ｂ２を傾斜面とすることもできる。
【００６６】
また、凸部１５が複数設けられる場合には、複数の凸部１５のそれぞれの面１５ｂ１は、同じ方向に傾斜しているようにすることができる。複数の凸部１５のそれぞれの面１５ｂ２は、同じ方向に傾斜しているようにすることができる。
【００６７】
傾斜面を設けるようにすれば、空気の流れに乱流が発生するのを抑制することができる。
そのため、空気の流れを円滑にすることができるので、放熱性を向上させることができる。
【００６８】
この場合、図６（ｂ）、（ｃ）において例示をした凸部１４と同様に、空気の流れ方向１００における上流側の面が傾斜面となるようにすることができる。  
なお、空気の流れ方向１００は、照明装置１の取り付け形態や、照明装置１が取り付けられる環境などの影響を受ける。  
そのため、図６（ａ）において例示をした凸部１４と同様に、互いに対峙する２つの面（面１５ｂ１および面１５ｂ２）を傾斜面とし、傾斜方向が互いに逆向きとなるようにすれば、予め空気の流れ方向１００が分からなかったり、空気の流れ方向１００が変化したりする場合であっても対応が可能となる。
【００６９】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００７０】
１  照明装置、２  発光モジュール用基板、１０  ソケット、１１  収納部、１２  フランジ部、１２ａ  基部、１２ｂ  凸部、１２ｃ  凹部、１３  フィン、１３ａ  頂面、１４  凸部、１４ａ  頂面、１４ｂ１  面、１４ｂ２  面、１５  凸部、１５ａ  頂面、１５ｂ１  面、１５ｂ２  面、１６  取り付け部、２０  発光モジュール、２１  基体、２２  発光素子、３０  給電部、４０  コネクタ、１００  空気の流れ方向
【図１】
0006390951.tif 000002
【図２】
0006390951.tif 000003
【図３】
0006390951.tif 000004
【図４】
0006390951.tif 000005
【図５】
0006390951.tif 000006
【図６】
0006390951.tif 000007